(57)【要約】【課題】簡易吸収用としての機能と吸収能補強用としての機能とを兼ね備えた吸収用補助パッドを提供する。【解決手段】透液性表面シート３と、透液性裏面シート２との間に吸収体４が介在されるとともに、前記透液性裏面シート２の外面側に、外周部で固定された不透液性又は難透液性の防漏シート６が配設された吸収用補助パッド１であって、前記防漏シート６は、幅方向中央部において長手方向に沿って切り離し可能とされ、前記吸収用補助パッド１は、幅方向中央部で切り離しすることなく前記透液性表面シート面を肌面側として装着する使用態様と、前記防漏シート６を幅方向中央部で切り離し左右それぞれの側の防漏シート部分を透液性表面シート３側に裏返した状態で前記透液性表面シート面を肌面側として装着する使用態様とを選択可能とする。【選択図】図３
2010154902.tif 000002
【特許請求の範囲】
【請求項１】
透液性表面シートと、透液性裏面シートとの間に吸収体が介在されるとともに、前記透液性裏面シートの外面側に、外周部で固定された不透液性又は難透液性の防漏シートが配設された吸収用補助パッドであって、
前記防漏シートは、幅方向中央部において長手方向に沿って切り離し可能とされ、前記吸収用補助パッドは、幅方向中央部で切り離しすることなく前記透液性表面シート面を肌面側として装着する使用態様と、前記防漏シートを幅方向中央部で切り離し左右それぞれの側の防漏シート部分を透液性表面シート側に裏返した状態で前記透液性表面シート面を肌面側として装着する使用態様とを選択可能としたことを特徴とする吸収用補助パッド。
【請求項２】
前記防漏シートは、防水フィルムと撥水性不織布との積層体からなる請求項１記載の吸収用補助パッド。
【請求項３】
前記防漏シートは、撥水性不織布からなる請求項１記載の吸収用補助パッド。
【請求項４】
前記防漏シートには、切り離し可能とされる位置の両側に夫々、長手方向に沿って弾性伸縮部材が配設されている請求項１〜３いずれかに記載の吸収用補助パッド。
【請求項５】
前記防漏シートは、幅方向中央部において長手方向に沿って引裂き可能なミシン目が形成されていることにより切り離し可能とされる請求項１〜４いずれかに記載の吸収用補助パッド。
【請求項６】
前記防漏シートは、幅方向中央部において長手方向に沿って帯状に引裂き可能な硬質フィルムが配設されていることにより切り離し可能とされる請求項１〜４いずれかに記載の吸収用補助パッド。
【請求項７】
前記防漏シートは、幅方向中央部において長手方向に沿って予め切断されており、前記幅方向中央部において長手方向に沿って前記裏面シート側に固定された接合手段に対して、前記防漏シートの切断縁部分が着脱可能に接合されることによって切り離し可能とされる請求項１〜４いずれかに記載の吸収用補助パッド。
【請求項８】
前記防漏シートの外面側であって長手方向両端部に、装着時のズレ止め手段が配設されている請求項１〜７いずれかに記載の吸収用補助パッド。
【請求項９】
前記表面シートの両側部には、長手方向に亘って表面側に起立する左右一対の立体ギャザーが設けられている請求項１〜８いずれかに記載の吸収用補助パッド。
【発明の詳細な説明】
【技術分野】
【０００１】
本発明は、特に尿取りパッド、失禁パッドなどの補助パッドとして使用される吸収用補助パッドであって、経済性などを考慮して体液を吸収した補助パッドのみを交換して使用する簡易吸収用補助パッドとしての機能と、紙おむつなどの吸収能を補うため紙おむつなどに積層して使用する吸収能補強用補助パッドとしての機能とを兼ね備えた吸収用補助パッドに関する。
【背景技術】
【０００２】
従来より、尿取りパッド、失禁パッドなどの補助パッドとして使用される吸収用補助パッドには、次の２通りの機能を有するものが知られている。先ず第１は、経済的な負担の軽減や布の下着を着用する際の軽失禁の吸収などを目的として、体液を吸収した補助パッドのみを交換して使用する簡易吸収用補助パッドがある。かかる簡易吸収用補助パッドは、吸収体に吸収された尿等が外面側に漏れないように、吸収体の外面側には、不透液性のシート材が配置されるようになっている。この簡易吸収用補助パッドを装着することにより、少量の尿漏れなどの場合には、この補助パッドのみを交換すればよく、紙おむつ全体を交換するより、経済的にも労力的にも負担を軽減することができる。また、布の下着を使用することができるため幼児のトイレトレーニングや軽度の失禁はあるものの昼間は紙おむつを使用しない場合などにも好適である。この簡易吸収用補助パッドは、昼間など頻繁に交換できるような場合に、主に使用されている。
【０００３】
一方、第２の機能を有する補助パッドとして、紙おむつなどの吸収性物品の吸収能を補うことを目的として、吸収性物品の表面側に積層して使用する吸収能補強用補助パッドがある。かかる吸収能補強用補助パッドの場合、吸収体に吸収された尿等が速やかに紙おむつの吸収体に移行するように、吸収体の外面側は、透液性のシート材で構成されている（下記特許文献１、２参照）。
【０００４】
例えば、下記特許文献１では、液吸収体を液透過性の表面シート及び液透過性の裏面シートの間に挟み込んだ使い捨ておむつの補助吸収材が開示されている。また、下記特許文献２では、液透過性の表面シート及び裏面シートの間に吸収体が介在された吸収性本体の両側部に固定端を有し且つ裏面シート側における幅方向中央側に自由端を有する、液不透過性又は撥水性の一対の液誘導用シート部を具備する補助吸収性物品が開示されている。
【特許文献１】特開昭６３−３０９６０１号公報
【特許文献２】特開２００４−３６１４４２号公報
【発明の開示】
【発明が解決しようとする課題】
【０００５】
しかしながら、上記特許文献１記載の補助吸収材では、表面シート及び裏面シートがそれぞれ液透過性のシートで形成されているため、前記吸収能補強用補助パッドとしての機能は備えるものの、裏面シートが不透液性ではないため、補助パッドの外面側に尿等が漏れる場合があり、前記簡易吸収用補助パッドとしての機能は十分に発揮できていなかった。また、上記特許文献２は、上記特許文献１記載の発明における補助パッドから使い捨ておむつ等への体液の移行を改善したものであり、上記特許文献１記載の発明と同様に、簡易吸収用補助パッドとしての機能を十分に発揮できない問題があった。
【０００６】
一方、かかる吸収能補強用補助パッドを簡易吸収用補助パッドとして機能させるために、単に、吸収能補強用補助パッドの外面側に不透液性のシート材を配置しただけでは、吸収能補強用としての機能が失われる。
【０００７】
このように、従来の補助パッドでは、外面側に備えられる裏面シートが不透液性とされるか透液性とされるかによって、簡易吸収用補助パッド又は吸収能補強用補助パッドのいずれか一方の機能しか有することができなかった。このため、使用者は使用目的に応じた機能を有する補助パッドを適切に選択しなければならず、選択ミスによってその機能が確実に発揮できない場合も少なくなかった。また、使用者は各機能に応じた補助パッドを２種類備えていなければならず、経済的な負担の軽減が損なわれていた。
【０００８】
そこで本発明の主たる課題は、簡易吸収用としての機能と吸収能補強用としての機能とを兼ね備えた吸収用補助パッドを提供することにある。
【課題を解決するための手段】
【０００９】
前記課題を解決するために請求項１に係る本発明として、透液性表面シートと、透液性裏面シートとの間に吸収体が介在されるとともに、前記透液性裏面シートの外面側に、外周部で固定された不透液性又は難透液性の防漏シートが配設された吸収用補助パッドであって、
前記防漏シートは、幅方向中央部において長手方向に沿って切り離し可能とされ、前記吸収用補助パッドは、幅方向中央部で切り離しすることなく前記透液性表面シート面を肌面側として装着する使用態様と、前記防漏シートを幅方向中央部で切り離し左右それぞれの側の防漏シート部分を透液性表面シート側に裏返した状態で前記透液性表面シート面を肌面側として装着する使用態様とを選択可能としたことを特徴とする吸収用補助パッドが提供される。
【００１０】
上記請求項１記載の発明では、吸収用補助パッドが、幅方向中央部で切り離しすることなく前記透液性表面シート面を肌面側として装着する使用態様と、前記防漏シートを幅方向中央部で切り離し左右それぞれの側の防漏シート部分を透液性表面シート側に裏返した状態で前記透液性表面シート面を肌面側として装着する使用態様とを選択可能としている。
【００１１】
このため、幅方向中央部で切り離しすることなく前記透液性表面シート面を肌面側として装着する使用態様の場合、透液性裏面シートの外面側に、外周部で固定された不透液性又は難透液性の防漏シートが配設されるため、吸収体に吸収された尿等が外面側に漏れないようになる。
【００１２】
さらに、防漏シートを幅方向中央部で切り離し左右それぞれの側の防漏シート部分を透液性表面シート側に裏返した状態で前記透液性表面シート面を肌面側として装着する使用態様の場合、吸収体の外面側に不透液性又は難透液性のシート材が配設されなくなるとともに、表面側の両側部には裏返した防漏シートによって立体ギャザーが形成されるため、吸収体に吸収された尿等が紙おむつなどの吸収性物品に速やかに移行し、紙おむつなどの吸収性物品の吸収能を補うことができるようになる。
【００１３】
このように、本発明に係る吸収用補助パッドは、簡易吸収用としての機能と吸収能補強としての機能とを兼ね備えることができる。
【００１４】
請求項２に係る本発明として、前記防漏シートは、防水フィルムと撥水性不織布との積層体からなる請求項１記載の吸収用補助パッドが提供される。
【００１５】
上記請求項２記載の発明は、前記防漏シートの一つの構成例であり、前記防漏シートは、防水フィルムと撥水性不織布との積層体とすることが好ましい。ここで、吸収用補助パッドに対する配置関係は、防水フィルム、撥水性不織布のいずれが外面側であっても良いが、前述の表面側の両側部に立体ギャザーを形成する使用態様において良好な装着感が得られるようにするため、防水フィルムを外面側とし撥水性不織布を吸収体側として配設することが好ましい。
【００１６】
請求項３に係る本発明として、前記防漏シートは、撥水性不織布からなる請求項１記載の吸収用補助パッドが提供される。
【００１７】
上記請求項３記載の発明は、前記防漏シートの他の構成例であり、幅方向中央部で切り離しすることなく前記透液性表面シート面を肌面側として装着する使用態様において、昼間の軽失禁などを重視する場合に特に有効な構成例である。
【００１８】
請求項４に係る本発明として、前記防漏シートには、切り離し可能とされる位置の両側に夫々、長手方向に沿って弾性伸縮部材が配設されている請求項１〜３いずれかに記載の吸収用補助パッドが提供される。
【００１９】
上記請求項４記載の発明では、防漏シートの切り離し可能とされる位置の両側に夫々、長手方向に沿って弾性伸縮部材を配設することにより、前述の表面側の両側部に立体ギャザーを形成する使用態様において、前記立体ギャザーの起立状態を良好に保持することができるようになる。
【００２０】
請求項５に係る本発明として、前記防漏シートは、幅方向中央部において長手方向に沿って引裂き可能なミシン目が形成されていることにより切り離し可能とされる請求項１〜４いずれかに記載の吸収用補助パッドが提供される。
【００２１】
上記請求項５記載の発明は、前記防漏シートを切り離し可能とする具体的な手段について規定したものであり、防漏シートの幅方向中央部において長手方向に沿って引裂き可能なミシン目を形成するようにしたものである。
【００２２】
請求項６に係る本発明として、前記防漏シートは、幅方向中央部において長手方向に沿って帯状に引裂き可能な硬質フィルムが配設されていることにより切り離し可能とされる請求項１〜４いずれかに記載の吸収用補助パッドが提供される。
【００２３】
上記請求項６記載の発明は、前記防漏シートを切り離し可能とする他の手段について規定したものであり、防漏シートの幅方向中央部において長手方向に沿って帯状に引裂き可能な硬質フィルムを配設するようにしたものである。
【００２４】
請求項７に係る本発明として、前記防漏シートは、幅方向中央部において長手方向に沿って予め切断されており、前記幅方向中央部において長手方向に沿って前記裏面シート側に固定された接合手段に対して、前記防漏シートの切断縁部分が着脱可能に接合されることによって切り離し可能とされる請求項１〜４いずれかに記載の吸収用補助パッドが提供される。
【００２５】
上記請求項７記載の発明は、前記防漏シートが幅方向中央部において長手方向に沿って予め切断された場合に好適な切り離し可能とする手段であり、前記幅方向中央部において長手方向に沿って前記裏面シート側に固定された接合手段に対して、前記防漏シートの切断縁部分を着脱可能に接合したものである。前記接合手段を設けることにより、幅方向中央部で切り離しすることなく前記透液性表面シート面を肌面側として装着する使用態様では、防漏シートを透液性裏面シートの外面側に配設した状態を保持することができるようになる。さらに、防漏シートを幅方向中央部で切り離し左右それぞれの側の防漏シート部分を透液性表面シート側に裏返した状態で前記透液性表面シート面を肌面側として装着する使用態様では、前記接合手段を紙おむつなどの吸収性物品とのズレ止め用として用いることができる。
【００２６】
請求項８に係る本発明として、前記防漏シートの外面側であって長手方向両端部に、装着時のズレ止め手段が配設されている請求項１〜７いずれかに記載の吸収用補助パッドが提供される。
【００２７】
上記請求項８記載の発明は、幅方向中央部で切り離しすることなく前記透液性表面シート面を肌面側として装着する使用態様において、吸収用補助パッドと紙おむつなどの吸収性物品や下着などとの位置ズレを防止するため、防漏シートの外面側であって、長手方向両端部に、装着時のズレ止め手段を設けたものである。
【００２８】
請求項９に係る本発明として、前記表面シートの両側部には、長手方向に亘って表面側に起立する左右一対の立体ギャザーが設けられている請求項１〜８いずれかに記載の吸収用補助パッドが提供される。
【００２９】
上記請求項９記載の発明では、表面シートの両側部に、長手方向に亘って表面側に起立する左右一対の立体ギャザーを設けることにより、前述の幅方向中央部で切り離しすることなく前記透液性表面シート面を肌面側として装着する使用態様では、前記立体ギャザーが形成されているため漏れ防止を図ることができ、前述の防漏シートを幅方向中央部で切り離し左右それぞれの側の防漏シート部分を透液性表面シート側に裏返した状態で前記透液性表面シート面を肌面側として装着する使用態様では、吸収用補助パッドの表面側の両側部にそれぞれ二重の立体ギャザーが形成されるため、さらに漏れ防止を図ることができる。
【発明の効果】
【００３０】
以上詳説のとおり本発明によれば、簡易吸収用としての機能と吸収能補強用としての機能とを兼ね備えた吸収用補助パッドが提供できる。
【発明を実施するための最良の形態】
【００３１】
以下、本発明の実施の形態について図面を参照しながら詳述する。なお、本発明における「長手方向」とは、吸収用補助パッド１の前側と後側を結ぶ方向を意味し、「幅方向」とは長手方向と直交する方向（吸収用補助パッド展開時の左右方向）を意味する。
【００３２】
図１は本発明に係る吸収用補助パッド１の一部破断展開図、図２はその裏面図、図３は図１のIII−III線矢視図である。なお、図面の所要部位において接着部位を×印で表示している。
【００３３】
図１乃至図３において、吸収用補助パッド１は、綿状パルプ等からなり、たとえば砂時計形状（または長方形状等）のある程度の剛性を有するとともに、被包シート５によって囲繞された吸収体４と、該吸収体４の表面側（肌当接面側）を覆うように配設された有効または無孔の不織布や孔開きプラスチックシート等からなる透液性表面シート３と、前記吸収体４の外面側を覆うように配設され、前記透液性表面シート３と同様の素材からなる透液性裏面シート２と、前記裏面シートの外面側に配設され、外周部で固定された不透液性又は難透液性の防漏シート６とから主に構成されている。
【００３４】
前記吸収用防漏シート６は、前記裏面シート２と略同等の平面形状を有し、その外周部がヒートシールやホットメルト等の接着剤等の接合手段で接合された固定端６Ａを有するとともに、吸収用補助パッド１の幅方向中央部において長手方向に沿って切り離し可能とされている。
【００３５】
以下、更に各構成について具体的に詳述すると、
前記吸収体４は、たとえば綿状パルプ等の繊維集合体と高吸収性ポリマー等の高吸収材とにより構成され、図示例では脚回りへの当たりを和らげるために両側部に夫々括れ部を有する略砂時計状のものが使用され、その幅寸法は股間部への当たりによって着用者にゴワ付き感を与えない寸法幅となっている。吸収体４の平面形状としては、長方形状とすることもできる。前記吸収体４は、坪量が５０〜６００ｇ／ｍ２程度が好ましく、３００〜５００ｇ／ｍ２程度がより好ましい。
【００３６】
前記高吸収性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸収性ポリマーは製造プロセスにおいて、架橋密度および架橋密度勾配を調整することにより吸水力（吸収倍率）と吸水速度の調整が可能である。前記吸収体４における高吸収性ポリマーの含有比率は、３０〜７０％程度が適当であるが、これに限るものではない。
【００３７】
前記吸収体４は、被包シート５によって囲繞されている。被包シート５は、ティシュー等の紙材あるいは不織布等の透液性のシートを用いることができる。厚みは０．０５〜０．５ｍｍ程度が好ましく、０．０５〜０．２ｍｍ程度がより好ましい。坪量は５〜２５ｇ／ｍ２程度が好ましく、５〜１５ｇ／ｍ２程度がより好ましい。不織布を用いる場合は、スパンボンド法やＳＭＳ法により加工された不織布、特にＳＭＳ法により加工された不織布が、薄さと強度のバランスに優れる点で好適である。
【００３８】
前記吸収体４の表面側（肌当接面側）を覆う透液性の表面シート３としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、ＳＭＳ法、サーマルボンド法、エアスルー法、ポイントボンド法、メルトブローン法、ニードルパンチ法等の適宜の加工法によって得られた不織布を用いることができる。特には、スパンボンド法やＳＭＳ法により加工された不織布が薄さと強度のバランスに優れる点で好適であり、エアスルー法により加工された不織布は低坪量でも吸収が速やかでかつドライタッチ性に優れるため好適である。これらは１層からなるシートでも２層以上（同一種類あるいは複数種類）からなるシートでもよいが、合計の坪量としては、１０〜４０ｇ／ｍ２が好ましく、１０〜２２ｇ／ｍ２がより好ましく、１０〜１５ｇ／ｍ２が特に好ましい。厚みは１ｍｍ以下が好ましく、０．５ｍｍ以下がより好ましく、０．３ｍｍ以下が特に好ましい。表面シート３に多数の透孔を形成した場合には、尿などが速やかに吸収されるようになり、ドライタッチ性に優れたものとなる。前記表面シート３は、吸収体４の側縁部から側方まで延在している。
【００３９】
前記吸収体４の裏面側（外面側）を覆う透液性の裏面シート２としては、上記表面シート３と同様に有孔または無孔の不織布や多孔性プラスチックシートなどが好適に用いられる。前記裏面シート２も、吸収体４の側縁部から側方の前記表面シート３と同様の範囲まで延在している。図示例では、表面シート３と裏面シート２とが別体のシート材で構成したものをそれぞれ吸収体４の表裏面に覆っているが、前記表面シート３及び裏面シート２が一体となったシート材によって前記吸収体４を額巻き又は被包するようにしてもよい。
【００４０】
（防漏シート６について）
以下、前記防漏シート６についてさらに詳しく説明する。
前記防漏シート６は、前述の通り、不透液性又は難透液性のシート材から構成されるものであり、図示されるように、防水フィルム７と撥水性不織布８とがホットメルトなどの接着剤によって接合されることにより不透液性とした積層体とすることが好ましい。かかる積層体で構成した場合、防漏シート６の分割を容易にするなどのため、切り離し可能とされる位置に沿って前記撥水性不織布８にスリットまたはミシン目（等の公知の技術で形成される線状弱化領域）が形成されるか、あるいは、切り離し可能とされる位置に沿って前記撥水性不織布８が間欠し、防水フィルム７のみで構成された帯状領域とすることが好ましい。図２に示されるように、前記帯状領域の幅Ｓ（撥水性不織布８の間欠幅Ｓ）は、１０mm以下であることが好ましく、５mm以下であることがより好ましい。前記防漏シート６を幅方向中央部で切り離しすることなく前記透液性表面シート面を肌面側として装着する使用態様において、昼間の軽失禁などを重視する（大量の排尿を想定しない）場合、必ずしも前記防水フィルム７は必要ではなく、撥水性不織布８のみとすることが可能である。この場合は撥水性不織布８が、スリットまたはミシン目によって分割可能とされる。なお、防水フィルム７と撥水性不織布８との積層体とする場合、前記帯状領域を設けることなく、全面を２層構成とすることでもよい。また、防水フィルム７と撥水性不織布８とを接合して防漏シート６を形成する場合、切り離し可能とされる位置の両側に沿って接着剤や融着手段を用いて、長手方向に一対の線状の接合部を設けると、線状接合部の間の領域に沿って前記防漏シート６を長手方向に切り離すことが容易になる。この一対の線状接合部は、幅方向に５〜１０mm程度離間して設けるのが好ましい。また、長手方向には連続線状であることが好ましいため、接着剤の場合はビード塗布あるいはスロット塗布により線状接合部を設けることが好ましい。線状接合部は長手方向の全長に亘って設けることが好ましいが、前後端部においては省略することもできる。
【００４１】
前記防水フィルム７は、ポリエチレンまたはポリプロピレンなどの不透液性プラスチックシートが用いられるが、ポリエチレン樹脂中に無機充填材を溶融混練してシートを形成した後、一軸または二軸方向に延伸することにより得られる微多孔性シートが特に好適である。このような微多孔性シートは遮水・透湿性であり、仮にシート厚が同じであれば無孔シートよりも剛性が低下するため、柔軟性の点で勝るものとなる。透湿性については、具体的には、JIS Z0208に準じて測定された透湿度が３０００〜１２０００g/m2・24hr、好ましくは６０００〜１２０００g/m2・24hr、より好ましくは８０００〜１２０００g/m2・24hr程度であることが望ましい。このような微多孔性シートを用いると、無孔シートや撥水性不織布等のその他の防水素材と比較して引裂きが容易であるため、後述する防漏シート６の幅方向中央部を切り離し可能とする具体的な手段は必ずしも設ける必要がない。（もちろん、切り離しをさらに容易にするために、後述する「具体的な手段」を組合わせてもよい。）
【００４２】
他方、前記撥水性不織布８は、ポリフッ化エチレン、ポリウレタン、ポリエチレン等の素材自体が撥水性を有する撥水性シート、またはシリコン系、パラフィン系、アルキルクロミッククロリド系撥水剤などのコーティング等、適宜の撥水処理を施した不織布素材などの撥水性を有するものが適宜使用される。加工方法としては、スパンボンド法、ＳＭＳ法、メルトブローン法、サーマルボンド法、エアスルー法、ポイントボンド法、ニードルパンチ法等の適宜の方法により得られた不織布を用いることができるが、特には裏面側のムレを防止するため、坪量を抑えて通気性に優れた不織布を用いるのがよい。具体的には、不織布の加工方法としてはスパンボンド法やＳＭＳ法によるものが薄さと強度のバランスに優れる点で好適であり、坪量としては、８〜３０ｇ／ｍ２が好ましく、１０〜２２ｇ／ｍ２がより好ましく、１０〜１５ｇ／ｍ２が特に好ましい。厚みは０．５ｍｍ以下が好ましく、０．３ｍｍ以下がより好ましく、０．２ｍｍ以下が特に好ましい。
【００４３】
前記防漏シート６には、切り離し可能とされる位置の両側に夫々、吸収用補助パッド１の長手方向に沿って弾性伸縮部材９が伸張状態で配設されている。この弾性伸縮部材９のテンション（伸張率）は150〜220％として配設するのが好ましい。前記弾性伸縮部材９を伸張状態で配設することにより、前述の表面側の両側部に立体ギャザーを形成する使用態様において、ギャザー先端部に伸縮力が作用し、立体ギャザーの起立状態を良好に保持することができるようになる。さらに、防漏シート６を幅方向中央部で切り離しすることなく表面シート面を肌面側として装着する使用態様においては、吸収用補助パッド１の幅方向中央部に長手方向に沿って弾性伸縮部材９が配設されるようになるため、この弾性伸縮部材９の収縮作用により、吸収用補助パッド１の幅方向中央部が身体に密着しやすくなり、尿等の漏れが効果的に防止できるようになる。
【００４４】
また、図示例では、吸収用補助パッド１の脚周りへの密着性を向上させるため、補助パッド１の両側のフラップ部（吸収体４が介在しない部分）に、それぞれ補助パッド１の長手方向に沿って弾性伸縮部材１０が伸張状態で配設されている。このような弾性伸縮部材１０を両側部に有していると、防漏シート６を幅方向中央部で切り離しすることなく表面シート面を肌面側として装着する使用態様において、吸収用補助パッド１の幅方向両側部が身体に密着しやすくなり、尿等の漏れが効果的に防止できるようになる。
【００４５】
前記弾性伸縮部材９、１０としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９４０dtex以下として配設するのがよい。なお、かかる糸状の弾性伸縮部材に代えて、ある程度の幅を有するテープ状の弾性伸縮部材を用いるようにしてもよい。
【００４６】
次に、吸収用補助パッド１の使用態様について、図３及び図４に基づいて説明する。本吸収用補助パッド１は、前記防漏シート６の態様によって２つの使用態様を有している。第１の使用態様は、図３に示されるように、前記防漏シート６を幅方向中央部で切り離しすることなく前記透液性表面シート３の面を肌面側として装着する使用態様である。これは、経済的な負担の軽減や布の下着を着用する際の軽失禁の吸収などを目的として、体液を吸収した吸収用補助パッド１のみを交換して使用する簡易吸収用補助パッドとして機能させる場合の使用態様である。この簡易吸収用としての使用態様は、昼間など、頻繁に補助パッド１を交換できるような場合に特に有効である。この場合、図３に示されるように、防漏シート６が吸収体４の外面側に配設されるため、吸収体４に吸収された体液が外面に漏れるおそれがなく、併用する紙おむつや下着などを汚さずに済む。この簡易吸収用補助パッド１を装着することにより、少量の尿漏れなどの場合には、この吸収用補助パッド１のみを交換すればよく、紙おむつを交換するより、経済的にも労力的にも負担を軽減することができる。
【００４７】
第２の使用態様は、図４に示されるように、前記防漏シート６を幅方向中央部で切り離し左右それぞれの側の防漏シート６部分を透液性表面シート３側に裏返した状態で前記透液性表面シート３の面を肌面側として装着する使用態様である。これは、紙おむつなどの吸収性物品の吸収能を補うことを目的として、紙おむつなどの吸収性物品の表面側に積層して使用する吸収能補強用補助パッドとして機能させる場合の使用態様である。この吸収能補強用としての使用態様は、就寝時など、長時間紙おむつなどの吸収性物品を交換することができないような場合に特に有効である。具体的には、図３に示される状態の防漏シート６を、幅方向中央部で切り離した後、左右それぞれの側の防漏シート６部分を外周の固定端６Ａを基端として切り離し部分から表面シート３側に折り返す。これによって、表面シート３の両側部に起立する立体ギャザーが形成される。この状態で吸収用補助パッド１を紙おむつなどの吸収性物品に装着することにより、吸収体４の外面側が不透液性でなくなるため、補助パッド１に吸収された尿等が紙おむつなどの吸収性物品に移行し易くなり、紙おむつなどの吸収性物品の吸収能を補うことができるようになる。また、表面シート３の両側部には、前記防漏シート６によって不透液性又は難透液性の立体ギャザーが形成されるため、大量の尿等が放出されても漏れを効果的に防止できる。
【００４８】
続いて、前記防漏シート６の幅方向中央部を、切り離し可能（切り離し容易）とする具体的な手段について説明する。第１の形態としては、図２に示されるように、防漏シート６に対し、吸収用補助パッド１の幅方向中央部において長手方向に沿って引裂き可能なミシン目２０を形成したものである。図示の形態では前記ミシン目２０の両側のそれぞれの領域は、ミシン目２０からの引裂きを容易にするため、前記撥水性不織布８が間欠し、前記防水フィルム７のみで構成されているが、前記ミシン目２０に沿って前記撥水性不織布８にスリットまたはミシン目（等の公知の技術で形成される線状弱化領域）を形成してもよい。
【００４９】
第２の形態としては、図５に示されるように、防漏シート６に対し、幅方向中央部において長手方向に沿って帯状に引裂き可能な硬質フィルム２１を配設することにより切り離し可能とすることができる。本形態は、前記硬質フィルム２１を、長手方向の一端から他端に向けて引き剥がして取り除くことにより、両側に分割された防漏シート部分を形成するものである。前記硬質フィルム２１としては、ポリプロピレンやポリエステル等からなる、前記防水フィルム７よりも引張強度の強いフィルム材を用いる。前記硬質フィルム２１は、容易に引き剥がすことができるように、２〜１０ｍｍの幅で形成することが好ましい。本形態においても、上記第１の形態と同様に、少なくとも前記硬質フィルム２１が配設される両側のそれぞれの領域は、前記撥水性不織布８が間欠し、前記防水フィルム７のみで構成する（すなわち前記帯状領域の幅Ｓが前記硬質フィルムの幅と同じかまたは広い）ことが望ましい。
【００５０】
一方、第３の形態としては、図６に示されるように、前記防漏シート６が幅方向中央部において長手方向に沿って予め切断されてスリットが形成されており、前記幅方向中央部において長手方向に沿って裏面シート２側に固定された接合手段２２に対して、前記防漏シート６の切断縁部分が着脱可能に接合されることによって切り離し可能とすることができる。前記接合手段２２を設けることにより、防漏シート６を幅方向中央部で切り離しすることなく前記透液性表面シート面を肌面側として装着する使用態様にて、防漏シート６が予め切断されていても、防漏シート６を裏面シート２の外面側に保持することができ、切断部分からの漏れが防止できる。さらに、防漏シート６が分割可能とされる場合でも、使用中の分割が防止されるようになる。さらに、防漏シート６を幅方向中央部で切り離し左右それぞれの側の防漏シート部分を透液性表面シート３側に裏返した状態で前記透液性表面シート面を肌面側として装着する使用態様では、前記接合手段２２を紙おむつなどの吸収性物品とのズレ止め用として用いることができ、吸収用補助パッド１を前記吸収性物品に固定することができるようになる。
【００５１】
前記接合手段２２は、上記第１及び第２の形態の切り離し可能とする手段等、本発明の全ての実施形態に併用することもできる。
【００５２】
前記接合手段２２としては、メカニカルフックのオス材、粘着剤又は自着性接着剤を利用したものなどを用いることができる。特に前記接合手段をズレ止め用として用いる場合には、メカニカルフックのオス材または粘着剤を用いるのが好ましい。ここで、前記防漏シート６を防水フィルム７と撥水性不織布８との積層体から構成した場合、この防漏シート６を接合手段２２に確実に接合させるため、前記接合手段２２としてメカニカルフックのオス材を使用した場合には前記撥水性不織布８が裏面シート２側の面に配設されるようにし、前記接合手段２２として粘着剤を利用したものを使用した場合には、前記防漏シート６の前記接合手段２２当接面に剥離処理を施すようにし、前記接合手段２２として自着性接着剤を利用したものを使用した場合には、前記防漏シート６の前記接合手段２２当接面にも自着性接着剤塗布面を設けるようにする。
【００５３】
ところで、本吸収用補助パッド１は、種々の機能を付加することができる。すなわち、図７に示されるように、前記防漏シート６の外面側であって、吸収用補助パッド１の長手方向両端部に、装着時のズレ止め手段２５、２５を設けることができる。このズレ止め手段２５は、防漏シート６を幅方向中央部で切り離しすることなく前記透液性表面シート面を肌面側として装着する使用態様において、吸収用補助パッド１を紙おむつなどの吸収性物品や下着に固定するためのものである。図示例のようにズレ止め手段２５、２５が吸収用補助パッド１の長手方向両端部に設けられていると、防漏シート６を幅方向中央部で切り離し左右それぞれの側の防漏シート部分を透液性表面シート３側に裏返して形成される立体ギャザーの起立に影響を与えないため好ましい。従って、図示しないがズレ止め手段２５、２５は吸収用補助パッド１の長手方向両側部に設けてもよい。前記ズレ止め手段２５としては、メカニカルフックのオス材又は粘着剤を利用したものなどを用いることができる。なお、ズレ止め手段２５を前記粘着剤とした場合、装着時に剥離可能な剥離紙で覆っておくことが望ましい。
【００５４】
さらに、図８に示されるように、表面シート３の両側部に、長手方向に亘って表面側に起立する左右一対の立体ギャザー２６、２６を設けることができる。前記立体ギャザー２６は、図示例では、表面シート３と裏面シート２とを一体的に形成し、吸収体４を額巻きするシート材において、このシート材を吸収体４の両側部より外側に延在した部分で折り返した前記延在部分によって構成されているが、別体のギャザー不織布を吸収体４の両側部に接合するようにしてもよい。前記立体ギャザー２６の先端部にはそれぞれ、二重の折り返し部分の内側に、吸収用補助パッド１の長手方向に沿って弾性伸縮部材２７が伸張状態で配設されている。この立体ギャザー２６を配設することにより、図８(A)に示されるように、防漏シート６を幅方向中央部で切り離しすることなく前記透液性表面シート面を肌面側として装着する使用態様において、表面側の両側部に前記立体ギャザー２６、２６が形成されるため、尿等の漏れ防止効果が向上する。さらに、図８(B)に示されるように、防漏シート６を幅方向中央部で切り離し左右それぞれの側の防漏シート部分を透液性表面シート側に裏返した状態で前記透液性表面シート面を肌面側として装着する使用態様において、表面側の両側部にそれぞれ二重の立体ギャザーが形成されるため、尿等の漏れ防止効果がさらに向上する。前記防漏シート６を幅方向中央部で切り離しすることなく前記透液性表面シート面を肌面側として装着する使用態様において、昼間の軽失禁などを重視する場合は、必ずしも前記立体ギャザー２６は必要ではなく両側のフラップ部の弾性伸縮部材１０があれば十分であり、大量の排尿を想定する場合は、立体ギャザー２６を設けるとよい。
【図面の簡単な説明】
【００５５】
【図１】本発明に係る吸収用補助パッド１の表面側の一部破断展開図である。
【図２】その外面側の展開図である。
【図３】図１のIII−III線矢視図である。
【図４】他の使用態様を示す吸収用補助パッド１の断面図である。
【図５】他の形態例を示す吸収用補助パッド１の外面側の展開図である。
【図６】他の形態例を示す吸収用補助パッド１の外面側の展開図である。
【図７】他の形態例を示す吸収用補助パッド１の外面側の展開図である。
【図８】(A)、(B)は、他の形態例を示す吸収用補助パッド１の断面図である。
【符号の説明】
【００５６】
１…吸収用補助パッド、２…透液性裏面シート、３…透液性表面シート、４…吸収体、５…被包シート、６…防漏シート、７…防水フィルム、８…撥水性不織布、９・１０…弾性伸縮部材、２０…ミシン目、２１…硬質フィルム、２２…接合手段
【図１】
2010154902.tif 000003
【図２】
2010154902.tif 000004
【図３】
2010154902.tif 000005
【図４】
2010154902.tif 000006
【図５】
2010154902.tif 000007
【図６】
2010154902.tif 000008
【図７】
2010154902.tif 000009
【図８】
2010154902.tif 000010